(57)【要約】【課題】ボルトのねじ部に付着した錆等の異物を確実に除去することができるボルト清掃具の提供。【解決手段】本発明に係るボルト清掃具は、被締結部材１を締め付ける締め付けナット２が螺合するボルト３のねじ部３ａに付着した錆等の異物８を除去するものであって、回転可能で、ボルト３の軸方向への移動可能な本体４と、この本体４に設けられ、ボルト３のねじ部３ａに嵌入する先端部５ａを有し、本体４の回転に伴って、ボルト３のねじ部３ａに付着した錆等の異物８を掻き出し、浮き上がらせる掻き出し棒５と、本体４に設けられ、本体４の回転に伴って、掻き出し棒５によって掻き出された錆等の異物を除去する清掃棒６とを備えている。本体４は締め付けナット２の嵌入が可能な六角穴４ａと、スパナが係着される六角形の外周部４ｂとを有している。【選択図】図５
2016077963.tif 000002
【特許請求の範囲】
【請求項１】
被締結部材を締め付ける締め付けナットが螺合するボルトのねじ部に付着した異物を除去するボルト清掃具において、
回転可能で、前記ボルトの軸方向への移動が可能な本体と、この本体に設けられ、前記ボルトのねじ部に嵌入する先端部を有し、前記本体の回転に伴って、前記ボルトの前記ねじ部に付着した異物を掻き出し、浮き上がらせる掻き出し部と、前記本体に設けられ、前記本体の回転に伴って、前記掻き出し部によって掻き出された前記異物を除去する清掃部とを備えたことを特徴とするボルト清掃具。
【請求項２】
請求項１に記載のボルト清掃具において、
前記掻き出し部は、棒体を形成する掻き出し棒から成り、前記清掃部は、棒体を形成する清掃棒から成ることを特徴とするボルト清掃具。
【請求項３】
請求項２に記載のボルト清掃具において、
前記掻き出し棒及び前記清掃棒を、前記本体の前記被締結部材側に位置する面部とは反対側に位置する面部に設けたことを特徴とするボルト清掃具。
【請求項４】
請求項３に記載のボルト清掃具において、
前記本体は、前記締め付けナットの嵌入が可能な六角穴と、所定の回転工具が係着される六角形の外周部とを有することを特徴とするボルト清掃具。
【請求項５】
請求項３に記載のボルト清掃具において、
前記本体は、前記ボルトに螺合するねじ部と、所定の回転工具が係着される六角形の外周部とを有し、前記被締結部材を締結可能なナット体から成ることを特徴とするボルト清掃具。
【発明の詳細な説明】
【技術分野】
【０００１】
本発明は、ボルトのねじ部に付着した錆等の異物を除去するボルト清掃具に関する。
【背景技術】
【０００２】
ボルトと、このボルトに螺合する締め付けナットとにより被締結部材を締結する締結構造にあっては、例えば長期間締結が継続された後に締め付けナットを緩めようとしたときに、ボルトのねじ部に付着した錆等の異物によって締め付けナットがボルトに噛み合い、締め付けナットを緩めることができなくなることが起こり得る。このようなことから、特許文献１にボルトのねじ部に付着した錆を除去する技術が提案されている。
【０００３】
特許文献１には、内部にテーパーネジと、これに続く平行ネジから成る錆とりネジ孔を切設すると共に、テーパーネジの部分に先端側から数ヶ所の割り溝を設け、外形を六角形に形成して成るボルトの錆とり工具が開示されている。この従来技術は、当該錆とり工具をボルトに対してテーパーネジ側から螺入することを繰り返して錆を除去し、除去した錆を割り溝からボルトの外部へ排出させるようにしたものである。
【先行技術文献】
【特許文献】
【０００４】
【特許文献１】実公昭６２−２７２７０号公報
【発明の概要】
【発明が解決しようとする課題】
【０００５】
前述した従来技術は、テーパーネジの螺入によって除去した錆を割り溝から排出させるようにしてあることから、割り溝に錆が詰まり、これによって当該錆とり工具がボルトに噛み込み、ボルトのねじ部に付着した錆等の異物を除去できなくなる虞がある。
【０００６】
本発明は、前述した従来技術における実情からなされたもので、その目的は、ボルトのねじ部に付着した錆等の異物を確実に除去することができるボルト清掃具を提供することにある。
【課題を解決するための手段】
【０００７】
前記目的を達成するために、本発明に係るボルト清掃具は、被締結部材を締め付ける締め付けナットが螺合するボルトのねじ部に付着した異物を除去するボルト清掃具において、回転可能で、前記ボルトの軸方向への移動が可能な本体と、この本体に設けられ、前記ボルトのねじ部に嵌入する先端部を有し、前記本体の回転に伴って、前記ボルトの前記ねじ部に付着した異物を掻き出し、浮き上がらせる掻き出し部と、前記本体に設けられ、前記本体の回転に伴って、前記掻き出し部によって掻き出された前記異物を除去する清掃部とを備えたことを特徴としている。
【発明の効果】
【０００８】
本発明に係るボルト清掃具によれば、ボルトに付着した錆等の異物に対する清掃時には、ボルトのねじ部に本体に設けた掻き出し部の先端部を嵌入させた状態で、本体を回転させボルトの軸方向へ移動させることにより、ボルトのねじ部に付着している錆等の異物が掻き出し部によって掻き出されて浮き上がり、この掻き出された錆等の異物を本体の回転に伴って回転する清掃部によってボルトの外部へ排出、除去することができる。これにより本発明は、掻き出された錆等の異物による詰まりを生じさせることなく、ボルトに付着した錆等の異物を確実に除去することができ、従来に比べてボルトに対する清掃精度を高めることができる。
【図面の簡単な説明】
【０００９】
【図１】本発明に係るボルト清掃具が用いられる締結構造の一例を示す側面図である。
【図２】本発明に係るボルト清掃具の第１実施形態を示す側面図である。
【図３】図２の要部を示す図で、（ａ）図は掻き出し棒の要部拡大図、（ｂ）図は清掃棒の要部拡大図である。
【図４】第１実施形態に備えられる本体を締め付けナットに装着させた状態を示す側面図である。
【図５】第１実施形態を用いて行われるボルト清掃時の状態を示す側面図である。
【図６】図５の要部を示す図で、（ａ）図は掻き出し棒によってボルトに付着した異物を掻き出した状態を示す図、（ｂ）図は掻き出し棒によって掻き出された異物を清掃棒によって除去する状態を示す図である。
【図７】第１実施形態に備えられる本体を締め付けナットに装着させた状態を維持したまま、締め付けナットによって被締結部材を締め付けた際に得られる作用を説明する図である。
【図８】本発明の第２実施形態を示す側面図である。
【図９】第２実施形態におけるボルト清掃時の状態を示す側面図である。
【図１０】第２実施形態によって被締結部材を締め付けた状態を示す側面図である。
【発明を実施するための形態】
【００１０】
以下、本発明に係るボルト清掃具の実施の形態を図面に基づいて説明する。
【００１１】
図１は、本発明に係るボルト清掃具が用いられる締結構造の一例を示す側面図である。
【００１２】
本発明に係るボルト清掃具は、例えば図１に示すように、被締結部材１を、ボルト３と、このボルト３に螺合する締め付けナット２とにより締結する締結構造に対して用いられる。すなわち、本発明に係るボルト清掃具は、例えば長期間、被締結部材１を締結していた締め付けナット２を緩める際に、ボルト３に付着した錆等の異物によってナット２が噛みこんでボルト３を緩めることができなくなる事態を防ぐために、ボルト３に付着した錆等の異物を除去する清掃に際して用いられる。
【００１３】
図２は、本発明に係るボルト清掃具の第１実施形態を示す側面図、図３は、図２の要部を示す図で、（ａ）図は掻き出し棒の要部拡大図、（ｂ）図は清掃棒の要部拡大図である。
【００１４】
図２，３に示すように、第１実施形態に係るボルト清掃具は、回転可能で、ボルト３の軸方向への移動可能な本体４を備えている。また、この第１実施形態は、本体４に設けられ、ボルト４の図１に示すねじ部３ａに嵌入する先端部５ａを有し、本体４の回転に伴ってボルト３のねじ部３ａに付着した錆等の異物を掻き出して浮き上がらせる掻き出し部、例えば棒体を形成する掻き出し棒５を備えている。また、この第１実施形態は、本体４に設けられ、本体４の回転に伴って、掻き出し棒５によって掻き出された錆等の異物を除去する清掃部、例えば棒体を形成する清掃棒６を備えている。
【００１５】
前述した掻き出し棒５及び清掃棒６は、この第１実施形態によってボルト４の清掃を行う際に、本体４の被締結部材１側に位置する面部とは反対側の位置となる面部４ｃに設けてある。なお例えば、清掃棒６の先端部６ａは、掻き出し棒５によって掻き出され浮き上がった錆等の異物に対する接触面積を確保することを考慮して、掻き出し棒５の先端部５ａに比べて少し大きな形状に形成してある。掻き出し棒５は、例えば互いに対向するように１対設けてある。清掃棒６は、例えば１対の掻き出し棒５を結ぶ方向と直交する方向に、互いに対向するように１対設けてある。
【００１６】
本体４は、図１に示す締め付けナット２の嵌入が可能な六角穴４ａと、所定の回転工具例えばスパナの係着が可能な六角形の外周部４ｂとを有している。
【００１７】
このように構成した第１実施形態に係るボルト清掃具を用いて、例えば長期間、被締結部材１を締結していた締め付けナット２を緩めるようにする際には、図４に示すように、締め付けナット２が六角穴４ａに嵌入されるようにして本体４で締め付けナット２を囲むようにこの本体４を配置し、ボルト３のねじ部３ａに１対の掻き出し棒５それぞれの先端部５ａを位置させ、また、ボルト３のねじ部３ａに１対の清掃棒６それぞれの先端部６ａを位置させる。
【００１８】
この状態で、本体４をスパナで図５の矢印２０に示すように回転させると、本体４は締め付けナット２を六角穴４ａ内に嵌入させた状態で、同図５の矢印２１に示すように、被締結部材１から離れる方向に、すなわち締め付けナット２を緩める方向に本体４が移動する。
【００１９】
この本体４の移動の間、掻き出し棒５の先端部５ａによって、図６の（ａ）図に示すように、ボルト３のねじ部３ａに付着していた錆等の異物８が掻き出されて浮き上がり、同図６の（ｂ）図に示すように、掻き出された錆等の異物８が清掃棒６によってボルト３の外部へ排出、除去される。
【００２０】
なお、ボルト３の清掃後、被締結部材１を再び締め付けナット２で締結する場合には、締め付けナット２に第１実施形態に備えられる本体４を装着させず、締め付けナット２のみをボルト３に螺入させ、締め付けナット２をスパナで回転させ、この締め付けナット２によって被締結部材１を締結させるようにしてもよい。
【００２１】
また、これとは異なり、本体４の六角穴４ａに締め付けナット２を嵌入させた状態で締め付けナット２をボルト３に螺入させ、本体４をスパナで回転させ、その後この状態を保持させるようにしてもよい。この場合には、締め付けナット２で被締結部材１を締結した際に、図７に示すように、本体４に取り付けられた掻き出し棒５の先端部５ａがボルト３のねじ部３ａに嵌入した状態となるので、締め付けナット２を緩める方向の力が矢印２２で示すように働いたときに、掻き出し棒５の先端部５ａと、ボルト３のねじ部３ａとの係合によって矢印２３で示す抵抗力が生じる。これによって、締め付けナット２の緩み止めを実現させることができる。
【００２２】
このように構成した第１実施形態によれば、前述したように、ボルト２に付着した錆等の異物８に対する清掃時に、ボルト３のねじ部３ａに本体４に設けた掻き出し棒５の先端部５ａを螺入させた状態で本体４を回転させ、ボルト３の軸方向へ移動させる。これにより、ボルト３のねじ部３ａに付着している錆等の異物８が掻き出し棒５によって浮き上がるようにして掻き出される。この掻き出された錆等の異物８を、清掃棒６によってボルト３の外部に排出、除去することができる。これにより第１実施形態は、ボルト３に付着した錆等の異物８を確実に除去することができ、ボルト３に対する清掃精度を高めることができる。
【００２３】
図８は、本発明の第２実施形態を示す側面図である。
【００２４】
この図８に示すように、第２実施形態に係るボルト清掃具は、ボルト３の軸方向への移動可能な本体が、ボルト３に螺合するねじ部１０ａを有し、所定の回転工具、例えばスパナの係着が可能な六角形の外周部１０ｂを有し、被締結部材１を締結可能なナット体１０から成っている。このナット体１０は、例えば締め付けナット１２と同等の形状寸法に設定してある。
【００２５】
この第２実施形態も、第１実施形態におけるのと同等の掻き出し部すなわち掻き出し棒５と、清掃部すなわち清掃棒６とをナット体１０の面部１０ｃに設けてある。
【００２６】
このように構成した第２実施形態は、被締結部材１をナット体１０で締結する場合には、図９に示すように、ナット体１０を矢印２４に示すようにスパナで回転させ、矢印２５に示すように、ボルト３の軸方向へ移動させて、図１０に示すように、このナット体１０によって被締結部材３を締結することが行われる。
【００２７】
このように被締結部材１を締結させた状態にあっては、第１実施形態において、締め付けナット２を六角穴４ａに嵌入させるようにして本体４を保持させた状態で、締め付けナット２によって被締結部材１を締結した状態におけるのと同様に、前述した図７に示すように、ナット部１０に設けた掻き出し棒５によってナット部１０の緩み止めを実現させることができる。
【００２８】
また、このようにナット部１０で被締結部材１を長期間にわたって締結していた状態から、ナット部１０を緩める際には、ナット部１０をスパナで回転させることにより、ナット部１０が被締結部材１から離れる方向へ移動する。
【００２９】
このナット部１０の移動の間、ボルト３のねじ部３ａに付着していた錆等の異物８が掻き出し棒５によって掻き出されて浮き上がり、この掻き出された錆等の異物８が清掃棒６によってボルト３の外部へ排出、除去される。
【００３０】
このように構成した第２実施形態も、掻き出し棒５及び清掃棒６を備えていることから、第１実施形態と同等の作用効果が得られる。また、ナット部１０が締め付けナットと同等の締結機能を有することから、第１実施形態に比べて部品数を少なくすることができる。
【符号の説明】
【００３１】
１    被締結部材
２    締め付けナット
３    ボルト
３ａ  ねじ部
４    本体
４ａ  六角穴
４ｂ  外周部
４ｃ  面部
５    掻き出し棒（掻き出し部）
５ａ  先端部
６    清掃棒（清掃部）
６ａ  先端部
８    異物
１０    ナット体（本体）
１０ａ  ねじ部
１０ｂ  外周部
１０ｃ  面部
【図１】
2016077963.tif 000003
【図２】
2016077963.tif 000004
【図３】
2016077963.tif 000005
【図４】
2016077963.tif 000006
【図５】
2016077963.tif 000007
【図６】
2016077963.tif 000008
【図７】
2016077963.tif 000009
【図８】
2016077963.tif 000010
【図９】
2016077963.tif 000011
【図１０】
2016077963.tif 000012